(57)【要約】【課題】簡素な構成で量産性、耐久性に優れ、工具や特別な固定手段などを用いることなく、簡便かつ確実に固定することができ、組立て作業性、固定安定性に優れると共に、必要に応じて容易に着脱することができ、着脱作業性に優れるだけでなく、使用者の体格や好みなどに応じて、容易に上下方向位置を調整することができ、汎用性に優れるランバーサポートの提供。【解決手段】使用者の腰部を支持する支持部材の端部が着脱自在に連結される支持部と、支持部の上端背面側に形設され背もたれの側部フレームに着脱自在に嵌着される嵌着部と、支持部の背面側に形設され側部フレームに係合する係合部と、を有する左右一対のランバーサポート取付具を備えている。【選択図】図１
0003180184.tif 000002
【実用新案登録請求の範囲】
【請求項１】
障害者や要介護者が使用する椅子の背もたれに着脱自在に装着されるランバーサポートであって、
使用者の腰部を支持する支持部材の端部が着脱自在に連結される支持部と、前記支持部の上端背面側に形設され前記背もたれの側部フレームに着脱自在に嵌着される嵌着部と、前記支持部の背面側に形設され前記側部フレームと係合する係合部と、を有する左右一対のランバーサポート取付具を備えたことを特徴とするランバーサポート。
【請求項２】
前記ランバーサポート取付具の前記係合部が、前記側部フレームの凸条又は２以上の突起からなる回り止め突部と嵌合する嵌合凹部を備えたことを特徴とする請求項１に記載のランバーサポート。
【請求項３】
前記ランバーサポート取付具の前記係合部の前記嵌合凹部が溝部で形成され、前記溝部の長さが前記側部フレームの前記回り止め突部の長さよりも長く、前記ランバーサポート取付具が上下に摺動自在であることを特徴とする請求項２に記載のランバーサポート。
【請求項４】
前記ランバーサポート取付具の前記嵌着部の横断面が、前記背もたれの前記側部フレームの前面部及び両側部を抱持する円弧状に形成されたことを特徴とする請求項１乃至３の内いずれか１項に記載のランバーサポート。
【請求項５】
前記ランバーサポート取付具の前記支持部が、前記支持部材が挿通固定される長孔状の支持部材装着部を備えたことを特徴とする請求項１乃至４の内いずれか１項に記載のランバーサポート。
【請求項６】
請求項２乃至５の内いずれか１項に記載のランバーサポートを備えた椅子であって、
前記側部フレームの前面側に突出して形成され前記ランバーサポート取付具の前記係合部と係合する回り止め突部を備えたことを特徴とする介護用椅子。
【考案の詳細な説明】
【技術分野】
【０００１】
本考案は、障害者や要介護者が使用する車椅子やバギー等の各種椅子の背もたれに着脱自在に装着されるランバーサポート及びそれを備えた椅子に関する。
【背景技術】
【０００２】
従来、介護用椅子を始めとする各種椅子において、使用者の腰部付近の所定範囲を後方から支持するためのランバーサポートが知られている。
例えば、（特許文献１）には、「凸型湾曲面を備える腰椎部支持ユニットであって、凸型湾曲面は、硬質材料からなり、凸型湾曲面は、支持する腰椎部の背骨方向に対して凸型に湾曲する腰椎部支持ユニット」が開示されている。
また、（特許文献２）には、「ランバーサポートにおける着座者の腰部を支持する本体を、可撓性を有する材料により形成するとともに、本体の前面形状を、平面視において、後方になだらかに凹入する円弧状の湾曲面とし、かつ同じく縦断面形状を、左右両側部の曲率が中央部のそれよりも大となる前方に凸の円弧状をなすようにしたランバーサポート装置」が開示されている。
【先行技術文献】
【特許文献】
【０００３】
【特許文献１】特開２００６−３４６２２３号
【特許文献２】特開２００８−２３７３３３号
【考案の概要】
【考案が解決しようとする課題】
【０００４】
しかしながら、上記従来の技術は以下のような課題を有していた。
（１）（特許文献１）の腰椎部支持ユニット（ランバーサポート）は、釘やビスなどにより取付けられる構造であるため、取付け作業が面倒で、組立作業性、着脱作業性に欠けるという課題を有している。特にビスなどにより取付ける場合、取付部などに、挿通孔や雌螺子部などを加工する必要があり、加工工数が増加し、量産性、設計自在性に欠けるという課題を有している。
（２）また、（特許文献１）の腰椎部支持ユニットの凸型湾曲面が、木質材料、プラスチック材料、金属材料などの硬質材料で形成されていることにより、着座時に硬さや冷たさを感じ易く、長時間の連続使用に不向きで、使用性に欠けるという課題を有している。
（３）さらに、（特許文献１）の腰椎部支持ユニットは、一箇所に固定されており、高さ方向の位置調整などについては考慮されておらず、使用者の体格や好みの違いなどに対応することができず、汎用性に欠けるという課題を有している。
（４）（特許文献２）のランバーサポートは、操作把手を操作して、係合突部と係合溝を選択的に係合させることにより、上下位置を調節することができるが、ランバーサポート及びランバーサポートを取付ける背枠にそれぞれ係合突部や係合溝を形成しなければならず、量産性に欠けるという課題を有している。特に、ランバーサポートの操作把手は、形状が複雑なだけでなく、係合片を弾性変形させて係合突部と係合溝を係合させるので、外部からの衝撃に弱く、破損や脱落が発生し易く、耐久性、固定安定性に欠けるという課題を有している。
【０００５】
本考案は、上記課題を解決するもので、簡素な構成で量産性、耐久性に優れ、工具や特別な固定手段などを用いることなく、簡便かつ確実に固定することができ、組立て作業性、固定安定性に優れると共に、必要に応じて容易に着脱することができ、着脱作業性に優れるだけでなく、使用者の体格や好みなどに応じて、容易に上下方向位置を調整することができ、汎用性に優れるランバーサポートの提供、及びランバーサポートにより使用者の腰部を確実に支持して体幹部の姿勢を保持することができ、長時間使用しても腰の負担や疲労が少なく、特に福祉用椅子としての使用性、機能性に優れる椅子の提供を目的とする。
【０００６】
本考案の請求項１に記載のランバーサポートは、障害者や要介護者が使用する椅子の背もたれに着脱自在に装着されるランバーサポートであって、使用者の腰部を支持する支持部材の端部が着脱自在に連結される支持部と、前記支持部の上端背面側に形設され前記背もたれの側部フレームに着脱自在に嵌着される嵌着部と、前記支持部の背面側に形設され前記側部フレームと係合する係合部と、を有する左右一対のランバーサポート取付具を備えた構成を有している。
この構成により、以下のような作用を有する。
（１）左右一対のランバーサポート取付具が、使用者の腰部を支持する支持部材の端部が着脱自在に連結される支持部を有するので、左右のランバーサポート取付具の間に支持部材を渡設することができ、支持部材の着脱、交換が容易で、支持部材の着脱作業性、メンテナンス性に優れる。
（２）ランバーサポート取付具が、支持部の上端背面側に形設され背もたれの側部フレームに着脱自在に嵌着される嵌着部を有するので、工具や特別な固定手段などを用いることなく、ランバーサポート取付具を背もたれの側部フレームに簡便かつ確実に固定することができ、構造が簡単で、量産性、組立て作業性、固定安定性に優れる。
（３）ランバーサポート取付具の嵌着部が、支持部の上端背面側に形設されているので、左右のランバーサポート取付具の間に渡設される支持部材を介して支持部にかかる荷重を背もたれの側部フレームで支持することができ、支持安定性に優れる。
（４）ランバーサポート取付具が、支持部の上端背面側に形設された嵌着部のみで背もたれの側部フレームに嵌着されて固定されるので、必要に応じて容易に着脱することができ、着脱作業性に優れるだけでなく、使用者の体格や好みなどに応じて、容易に上下方向位置を調整することができ、汎用性に優れる。
（５）ランバーサポート取付具が、支持部の背面側に形設され側部フレームと係合する係合部を有するので、ランバーサポート取付具の回動を防止して所定の位置に保持することができ、使用者の腰部を安定して支持することが可能で、腰部の支持安定性に優れる。
【０００７】
ここで、ランバーサポート取付具の材質としては、ポリアミド、ＡＢＳ、ポリアセタール、ポリカーボネート、ポリフェニレンエーテル、ポリブチレンテレフタレートなどのエンジニアリングプラスチック等が好適に用いられる。
支持部は、支持部材の端部が着脱自在に連結できるものであればよいが、支持部材の端部を挿通、固定できる長孔状の支持部材装着部などを有するものが、加工性、量産性に優れ、好ましい。
尚、支持部材としては、ポリプロピレン製やポリエステル製などの織物繊維でベルト状に形成されたものが好適に用いられる。支持部材の長さや張り具合を調整することにより、適度な弾力性で使用者の腰部を支持することができる。
嵌着部の形状は、背もたれの側部フレームの形状に応じて、適宜、選択することができるが、円弧状、Ｃ字型、Ｕ字型などに形成され、弾性変形により側部フレームを保持できるものが好適に用いられる。
【０００８】
係合部は、ランバーサポート取付具全体が側部フレーム周りに回動しないように、背もたれの側部フレームと係合するものであればよく、その形状や配置等は、側部フレームの形状や構造などに応じて適宜、選択することができる。例えば、側部フレームの前面が平面状に形成されている場合は、係合部を平坦状に形成して平面同士で当接（係合）するようにすればよく、必要に応じて、ネジ止め等で固定してもよい。また、係合部の表面及び側部フレームの前面にお互いに係合する凹凸部を形成してもよい。特に、係合部に嵌合凹部又は嵌合凸部を形成し、側部フレームの前面に嵌合凸部又は嵌合凹部を形成して、嵌合凹部と嵌合凸部を嵌合させた場合は、ランバーサポート取付具が側部フレーム周りに回動することがなく、ランバーサポート取付具の固定の確実性に優れる。
【０００９】
請求項２に記載の考案は、請求項１に記載のランバーサポートであって、前記ランバーサポート取付具の前記係合部が、前記側部フレームの凸条又は２以上の突起からなる回り止め突部と嵌合する嵌合凹部を備えた構成を有している。
この構成により、請求項１の作用に加え、以下のような作用を有する。
（１）ランバーサポート取付具の係合部が、側部フレームの凸条又は２以上の突起からなる回り止め突部と嵌合する嵌合凹部を有することにより、使用者の体重や大きな外力などが加わった場合でも、ランバーサポート取付具が側部フレーム周りに回動することがなく、ランバーサポート取付具の固定の確実性、安定性に優れる。
【００１０】
ここで、嵌合凹部は、係合部の高さ方向と平行な凹溝状に形成したものが好適に用いられる。側部フレームの前面に形成された凸条又は２以上の突起からなる回り止め突部を嵌合させることにより、簡単かつ確実にランバーサポート取付具の回動を防止できるだけでなく、嵌合凹部に回り止め突部を嵌合させた状態でランバーサポート取付具を高さ方向（上下方向）にスライドさせて容易に高さ調整を行うことができ、汎用性、取扱い性に優れる。
【００１１】
請求項３に記載の考案は、請求項２に記載のランバーサポートであって、前記ランバーサポート取付具の前記係合部の前記嵌合凹部が溝部で形成され、前記溝部の長さが前記側部フレームの前記回り止め突部の長さよりも長く、前記ランバーサポート取付具が上下に摺動自在である構成を有している。
この構成により、請求項２の作用に加え、以下のような作用を有する。
（１）ランバーサポート取付具の係合部の嵌合凹部が溝部で形成され、溝部の長さが側部フレームの回り止め突部の長さよりも長く、ランバーサポート取付具が上下に摺動自在であることにより、ランバーサポート取付具の取付位置（高さ）を容易に調整することができ、汎用性、取扱い性に優れる。
【００１２】
ここで、回り止め突部の下端部に当接するストッパーを嵌合凹部に嵌合することにより、ランバーサポート取付具が所定の位置より下方に移動することがなく、固定安定性に優れる。
【００１３】
請求項４に記載の考案は、請求項１乃至３の内いずれか１項に記載のランバーサポートであって、前記ランバーサポート取付具の前記嵌着部の横断面が、前記背もたれの前記側部フレームの前面部及び両側部を抱持する円弧状に形成された構成を有している。
この構成により、請求項１乃至３の内いずれか１項の作用に加え、以下のような作用を有する。
（１）ランバーサポート取付具の嵌着部の横断面が、背もたれの側部フレームの前面部及び両側部を抱持する円弧状に形成されることにより、嵌着部を背もたれの前面側から側部フレームに押し付けるようにして嵌着することができ、組立作業性に優れる。
（２）ランバーサポート取付具の嵌着部が、側部フレームの前面部及び両側部を抱持し、側部フレームの背面側で開口しているので、左右のランバーサポート取付具の間に渡設される支持部材に荷重がかかった際に、嵌着部が側部フレームから外れることがなく、固定安定性、安全性に優れる。
（３）ランバーサポート取付具の背面側に形設された係合部が側部フレームと係合して固定されるので、嵌着部を薄肉化することができ、嵌着部の弾性によって側部フレームへの着脱を容易に行うこと可能で、着脱作業性に優れる。
【００１４】
請求項５に記載の考案は、請求項１乃至４の内いずれか１項に記載のランバーサポートであって、前記ランバーサポート取付具の前記支持部が、前記支持部材が挿通固定される長孔状の支持部材装着部を備えた構成を有している。
この構成により、請求項１乃至４の内いずれか１項の作用に加え、以下のような作用を有する。
（１）ランバーサポート取付具の支持部が、支持部材が挿通固定される長孔状の支持部材装着部を有するので、ベルト状に形成された支持部材を簡単かつ確実に固定でき、支持部材の固定安定性に優れると共に、支持部材の長さ（張り具合）の調整を容易に行うことができ、汎用性、取扱い性に優れる。
ここで、支持部材装着部の形状、数、配置などは、支持部材の幅や厚さなどに応じて、適宜、選択することができるが、複数の支持部材を適度な幅と間隔で配置することにより、使用者の腰部を確実に所定の位置に保持することができる。
【００１５】
本考案の請求項６に記載の椅子は、請求項２乃至５の内いずれか１項に記載のランバーサポートを備えた椅子であって、前記側部フレームの前面側に突出して形成され前記ランバーサポート取付具の前記係合部と係合する回り止め突部を備えた構成を有している。
この構成により、以下のような作用を有する。
（１）側部フレームの前面側に突出して形成されランバーサポート取付具の係合部と係合する回り止め突部を有することにより、嵌着部が側部フレームに回動自在な状態で嵌着されていても、ランバーサポート取付具全体が回動することがなく、使用者の腰部を確実に支持することができ、腰部の支持の確実性に優れる。
（２）回り止め突部をランバーサポート取付具の係合部に形成された嵌合凹部に嵌合させた場合、ランバーサポート取付具を所定の位置に確実に保持することができ、ランバーサポート取付具の装着安定性に優れる。
（３）嵌合凹部が溝部で形成されている場合、ランバーサポート取付具を上下に摺動させてランバーサポート取付具の取付位置（高さ）を容易に調整することができ、汎用性、取扱い性に優れる。
【００１６】
ここで、回り止め突部は、ランバーサポート取付具の係合部と係合することにより、ランバーサポート取付具全体が回動することを防止できるものであればよい。回り止め突部の形状は、適宜、選択することができるが、少なくとも係合部と平面同士で当接することにより、ランバーサポート取付具が側部フレーム周りに回動することを防止できる。特に、ランバーサポート取付具の係合部に嵌合凹部が形成されている場合は、回り止め突部を嵌合凹部に嵌合させることにより、嵌合凹部で回り止め突部の両側部を保持してランバーサポート取付具の回動を確実に防ぐことができる。
尚、回り止め突部は、ランバーサポート取付具の上下方向の取付範囲内で、少なくとも一部が係合部と係合する範囲に形成することにより、ランバーサポート取付具の取付位置に関わらず、確実にランバーサポート取付具の回動を防止することができる。
【考案の効果】
【００１７】
本考案のランバーサポート及びそれを備えた椅子によれば、以下のような効果が得られる。
請求項１に記載の考案によれば、以下のような効果を有する。
（１）工具や特別な固定手段などを用いることなく、背もたれに簡便かつ確実に固定することができると共に、必要に応じて容易に着脱することができる構造が簡単で、量産性、組立て作業性、固定安定性、着脱作業性に優れたランバーサポートを提供することができる。
【００１８】
請求項２に記載の考案によれば、請求項１の効果に加え、以下のような効果を有する。
（１）使用者の体重や大きな外力などが加わっても、ランバーサポート取付具が側部フレーム周りに回動することのない固定の確実性、安定性に優れたランバーサポートを提供することができる。
【００１９】
請求項３に記載の考案によれば、請求項２の効果に加え、以下のような効果を有する。
（１）ランバーサポート取付具を上下に摺動させて、ランバーサポート取付具の取付位置（高さ）を容易に調整することができる汎用性、取扱い性に優れたランバーサポートを提供することができる。
【００２０】
請求項４に記載の考案によれば、請求項１乃至３の内いずれか１項の効果に加え、以下のような効果を有する。
（１）背もたれの前面側から側部フレームに押し付けるようにして容易に嵌着することができ、使用時に側部フレームから外れることのない組立作業性、固定安定性、安全性に優れたランバーサポートを提供することができる。
【００２１】
請求項５に記載の考案によれば、請求項１乃至４の内いずれか１項の効果に加え、以下のような効果を有する。
（１）ベルト状に形成された支持部材を簡単かつ確実に固定して、容易に長さ調整を行うことができる支持部材の固定安定性、汎用性、取扱い性に優れたランバーサポートを提供することができる。
【００２２】
請求項６に記載の考案によれば、以下のような効果を有する。
（１）ランバーサポート取付具が側部フレームに対して回動することがなく、使用者の腰部を確実に支持することができる腰部の支持安定性に優れたランバーサポートを備えた椅子を提供することができる。
【図面の簡単な説明】
【００２３】
【図１】（ａ）実施の形態１のランバーサポートのランバーサポート取付具を示す平面図  （ｂ）実施の形態１のランバーサポートのランバーサポート取付具を示す側面図
【図２】実施の形態１のランバーサポートを椅子の背もたれの側部フレームに装着した状態を示す要部模式側面図
【図３】実施の形態１のランバーサポートを椅子の背もたれの側部フレームに装着した状態を示す腰部模式正面図
【考案を実施するための形態】
【００２４】
（実施の形態１）
本考案の実施の形態１におけるランバーサポート及びそれを備えた椅子について、以下、図面を用いて説明する。なお、本考案は以下に説明する実施の形態に限定されるものではない。
図１（ａ）は実施の形態１のランバーサポートのランバーサポート取付具を示す平面図であり、図１（ｂ）は実施の形態１のランバーサポートのランバーサポート取付具を示す側面図であり、図２は実施の形態１のランバーサポートを椅子の背もたれの側部フレームに装着した状態を示す要部模式側面図であり、図３は実施の形態１のランバーサポートを椅子の背もたれの側部フレームに装着した状態を示す腰部模式正面図である。
図１中、１は障害者や要介護者が使用する車椅子やバギー等の椅子の背もたれに着脱自在に装着される実施の形態１のランバーサポートにおけるポリアミド、ＡＢＳ、ポリアセタール、ポリカーボネート、ポリフェニレンエーテル、ポリブチレンテレフタレートなどのエンジニアリングプラスチック製のランバーサポート取付具、２は使用者の腰部を支持する支持部材の端部が着脱自在に連結されるランバーサポート取付具１の支持部、３は支持部２の上端背面側に形設され椅子の背もたれの側部フレームに着脱自在に嵌着されるランバーサポート取付具１の嵌着部、４は支持部２の背面側に形設され側部フレームと係合するランバーサポート取付具１の係合部（図１（ｂ））、４ａは係合部４の高さ方向と平行な凹状の溝部で形成された嵌合凹部（図１（ｂ））、５ａ，５ｂは支持部２の上下２箇所に穿設されベルト状等に形成された支持部材がそれぞれ挿通固定されるランバーサポート取付具１の長孔状の支持部材装着部（図１（ｂ））、６は支持部材装着部５ｂの内側の上下２箇所に突設され支持部材の内面を掛止して上下の位置ずれを防止する突起部（図１（ｂ））である。
【００２５】
図２及び図３中、７ａ，７ｂはポリプロピレン製やポリエステル製などの織物繊維でベルト状に形成され左右のランバーサポート取付具１の支持部材装着部５ａ，５ｂに両端部が挿通固定された支持部材、８は左右一対のランバーサポート取付具１と左右のランバーサポート取付具１の間に渡設された上下２本の支持部材７ａ，７ｂによって構成された実施の形態１のランバーサポート、１０はランバーサポート８が後述する側部フレームに着脱自在に装着された椅子の背もたれ、１１はランバーサポート８の左右のランバーサポート取付具１がそれぞれ着脱自在に装着された背もたれ１０の左右の側部フレーム、１１ａは各々の側部フレーム１１の前面側に突出して形成され前端面側がランバーサポート取付具１の係合部４の嵌合凹部４ａに嵌合される凸条の回り止め突部、１２，１３は左右の側部フレーム１１の高さ方向の略中間位置と下端位置をそれぞれ連結する背もたれの連結部、１４は各々の側部フレーム１１の下端部に形成され椅子の本体（図示せず）に対して背もたれ１０を揺動自在に支持する揺動支持部である。
【００２６】
ランバーサポート取付具１の嵌着部３の形状は、背もたれ１０の側部フレーム１１の形状に応じて、適宜、選択することができるが、図１（ａ）に示したように、横断面を円弧状、Ｃ字型、Ｕ字型などに形成することにより、弾性変形により側部フレーム１１の前面部及び両側部を抱持することができる。
本実施の形態では、支持部２の上下２箇所に支持部材装着部５ａ，５ｂを形成したが、支持部材装着部の形状、数、配置などは、これに限定されるものではなく、支持部材７ａ，７ｂの幅や厚さなどに応じて、適宜、選択することができる。複数の支持部材７ａ，７ｂを適度な幅と間隔で配置することにより、使用者の腰部を確実に所定の位置に保持することができる。
【００２７】
側部フレーム１１の回り止め突部１１ａは、図２に示したように、ランバーサポート取付具１の係合部４に形成された嵌合凹部４ａに嵌合することにより、ランバーサポート取付具１全体が回動することを防止できる。また、嵌合凹部４ａの全長よりも、回り止め突部１１ａの全長が短く形成されているので、図２において、嵌合凹部４ａと回り止め突部１１ａが嵌合（係合）する範囲でランバーサポート取付具１の上下方向の取付位置を適宜、調整することができる。
尚、本実施の形態では、ランバーサポート取付具１の係合部４に嵌合凹部４ａを形成し、側部フレーム１１に回り止め突部１１ａを形成したが、係合部４に嵌合凸部を形成し、側部フレーム１１に嵌合凹部を形成してもよい。また、係合部４を平坦状に形成して、回り止め突部１１ａを平面同士で当接（係合）させてもよく、必要に応じて、ネジ止め等で固定してもよい。
【００２８】
以上のように構成された本考案の実施の形態１におけるランバーサポートによれば、以下の作用を有する。
（１）左右一対のランバーサポート取付具が、使用者の腰部を支持する支持部材の端部が着脱自在に連結される支持部を有するので、左右のランバーサポート取付具の間に支持部材を渡設することができ、支持部材の着脱、交換が容易で、支持部材の着脱作業性、メンテナンス性に優れる。
（２）ランバーサポート取付具が、支持部の上端背面側に形設され背もたれの側部フレームに着脱自在に嵌着される嵌着部を有するので、工具や特別な固定手段などを用いることなく、ランバーサポート取付具を背もたれの側部フレームに簡便かつ確実に固定することができ、構造が簡単で、量産性、組立て作業性、固定安定性に優れる。
（３）ランバーサポート取付具の嵌着部が、支持部の上端背面側に形設されているので、左右のランバーサポート取付具の間に渡設される支持部材を介して支持部にかかる荷重を背もたれの側部フレームで支持することができ、支持安定性に優れる。
（４）ランバーサポート取付具が、支持部の上端背面側に形設された嵌着部のみで背もたれの側部フレームに嵌着されて固定されるので、必要に応じて容易に着脱することができ、着脱作業性に優れるだけでなく、使用者の体格や好みなどに応じて、容易に上下方向位置を調整することができ、汎用性に優れる。
（５）ランバーサポート取付具の係合部が、側部フレームの回り止め突部と嵌合する嵌合凹部を有することにより、使用者の体重や大きな外力などが加わった場合でも、ランバーサポート取付具が側部フレーム周りに回動することがなく、ランバーサポート取付具の固定の確実性、安定性に優れる。
（６）ランバーサポート取付具の係合部が、側部フレームの凸条の回り止め突部と嵌合する嵌合凹部を有することにより、使用者の体重や大きな外力などが加わった場合でも、ランバーサポート取付具が側部フレーム周りに回動することがなく、ランバーサポート取付具の固定の確実性、安定性に優れる。
（７）ランバーサポート取付具の係合部の嵌合凹部が溝部で形成され、溝部の長さが側部フレームの回り止め突部の長さよりも長く、ランバーサポート取付具が上下に摺動自在であることにより、ランバーサポート取付具の取付位置（高さ）を容易に調整することができ、汎用性、取扱い性に優れる。
（８）ランバーサポート取付具が、支持部の背面側に形設され側部フレームに当接する当接部を有するので、支持部にかかる荷重を嵌着部と当接部に分散させ、側部フレームで確実に支持することができ、ランバーサポート取付具の変形や破損が発生し難く、耐久性に優れる。
（９）ランバーサポート取付具の嵌着部の横断面が、背もたれの側部フレームの前面部及び両側部を抱持する円弧状に形成されることにより、嵌着部を背もたれの前面側から側部フレームに押し付けるようにして嵌着することができ、組立作業性に優れる。
（８）ランバーサポート取付具の嵌着部が、側部フレームの前面部及び両側部を抱持し、側部フレームの背面側で開口しているので、左右のランバーサポート取付具の間に渡設される支持部材に荷重がかかった際に、嵌着部が側部フレームから外れることがなく、固定安定性、安全性に優れる。
（１０）ランバーサポート取付具の背面側に形設された係合部の嵌合凹部に側部フレームの回り止め突部が嵌合して固定されるので、嵌着部を薄肉化することができ、嵌着部の弾性によって側部フレームへの着脱を容易に行うことが可能で、着脱作業性に優れる。
（１１）ランバーサポート取付具の支持部が、支持部材が挿通固定される長孔状の支持部材装着部を有するので、ベルト状に形成された支持部材を簡単かつ確実に固定でき、支持部材の固定安定性に優れると共に、支持部材の長さ（張り具合）の調整を容易に行うことができ、汎用性、取扱い性に優れる。
【００２９】
以上のように構成された本考案の実施の形態１におけるランバーサポートを備えた椅子によれば、以下の作用を有する。
（１）側部フレームの前面側に突出して形成されランバーサポート取付具の係合部に形成された嵌合凹部に嵌合される回り止め突部を有することにより、嵌着部が側部フレームに回動自在な状態で嵌着されていても、ランバーサポート取付具全体が回動することがなく、ランバーサポート取付具を所定の位置に確実に保持して、使用者の腰部を確実に支持することができ、ランバーサポート取付具の装着安定性、腰部の支持の確実性に優れる。
【産業上の利用可能性】
【００３０】
本考案は、簡素な構成で量産性、耐久性に優れ、工具や特別な固定手段などを用いることなく、簡便かつ確実に固定することができ、組立て作業性、固定安定性に優れると共に、必要に応じて容易に着脱することができ、着脱作業性に優れるだけでなく、使用者の体格や好みなどに応じて、容易に上下方向位置を調整することができ、汎用性に優れるランバーサポートの提供、及びランバーサポートにより使用者の腰部を確実に支持して体幹部の姿勢を保持することができ、長時間使用しても腰の負担や疲労が少なく、使用性に優れる椅子の提供を行うことができ、障害者や要介護者が使用する車椅子やバギー等の各種椅子の福祉用椅子としての使用性を向上させることができる。
【符号の説明】
【００３１】
１  ランバーサポート取付具
２  支持部
３  嵌着部
４  係合部
４ａ  嵌合凹部
５ａ，５ｂ  支持部材装着部
６  突起部
７ａ，７ｂ  支持部材
８  ランバーサポート
１０  背もたれ
１１  側部フレーム
１１ａ  回り止め突部
１２，１３  連結部
１４  回動支持部
【図１】
0003180184.tif 000003
【図２】
0003180184.tif 000004
【図３】
0003180184.tif 000005